(57)【要約】      （修正有）【課題】コンパクトに収納可能で、運送及び搬入作業が容易な体圧分散構造体及びマットレスを提供する。【解決手段】弾発性を有するクッション部２０、クッション部２０の上に積層される支持部３０、支持部３０及びクッション部２０を被覆するカバー部４０を備えたマットレス１０において、クッション部２０は、クッション部２０の長尺方向Ｘに配列される第１構成体２０−１〜第３構成体２０−３を備え、第１構成体２０−１〜第３構成体２０−３は、クッション部２０が弾発する弾発方向に圧縮されて収納箱に収納される。【選択図】図１
0003184215.tif 000002
【実用新案登録請求の範囲】
【請求項１】
弾発性を有するクッション部、該クッション部の上に積層される支持部、該支持部及び前記クッション部を被覆するカバー部を備えた体圧分散構造体において、
前記クッション部は、
該クッション部の長尺方向に配列される複数のクッション部構成体を備え、
該複数のクッション部構成体は、
前記クッション部が弾発する方向に圧縮されて収容体に収容されることを特徴とする体圧分散構造体。
【請求項２】
前記複数のクッション部構成体は、
単一の収容体に収容されることを特徴とする請求項１に記載の体圧分散構造体。
【請求項３】
前記複数のクッション部構成体は、
前記クッション部の長尺方向と交差する短尺方向の一端縁及び他端縁をそれぞれ有し、
該一端縁及び他端縁が前記クッション部の短尺方向に配列される第１構成体と、
該第１構成体の一端縁側に配列される第２構成体と、
前記第１構成体の他端縁側に配列される第３構成体と、
を備えることを特徴とする請求項１または２に記載の体圧分散構造。
【請求項４】
請求項１〜３に記載の体圧分散構造体を用いて形成されたことを特徴とするマットレス。
【考案の詳細な説明】
【技術分野】
【０００１】
本考案は、体圧分散構造体及びマットレスに関する。
【背景技術】
【０００２】
主に人の体圧を分散する体圧分散構造体としては、例えば、ベッドのマットレスやソファのソファクッション等の大型家財品が挙げられる。このような体圧分散構造体は、コイルスプリング等の弾発性部材で構成されるクッション部、ウレタンフォーム等で形成されてクッション部の上に積層される支持部、この支持部及びクッション部を被覆するカバー部を主要構成として備える（例えば、特許文献１を参照）。
【０００３】
このような体圧分散構造体を、例えば製品として出荷するために運送して搬入する場合や、購入者の使用場所に運送して搬入する場合は、通常、運送事業者に運送が依頼されて運送及び搬入がなされる。運送の際には、運送する個数である個口と称される単位で管理がなされて運送等がなされる。
【先行技術文献】
【特許文献】
【０００４】
【特許文献１】特開２００２−３３６０８６公報
【考案の概要】
【考案が解決しようとする課題】
【０００５】
しかし、体圧分散構造体のような大型家財品を製品として出荷する際あるいは購入者であるユーザの使用場所に運送して搬入する際は、運送を行う作業者が一人では運送及び搬入作業が困難となることから、運送先へ搬入する際に体圧分散構造体を落下等させて破損したり、運送先の器物等を破損したりといった事象が発生することが考えられる。
【０００６】
このような観点から、大型家財品を運送及び搬入する際には、別の作業者を付添させたり、運送先の購入者等に搬入作業を手伝ってもらったりすることが考えられるが、別の作業者を付添させれば運送事業者の作業コストが増大することとなる。一方、購入者等に手伝わせることとなれば、購入者等に無用の作業を負担させることとなる。
【０００７】
このような状況に鑑みて、近年、大手の運送事業者は、作業者が一人で運送等ができるように、運送及び搬入する物品の個口当たりの有効寸法及び有効重量を設定しており、この有効寸法及び有効重量に合致しない個口の運送の依頼を受け付けないようになっているという実情が存在する。
【０００８】
一般的に、ベッドのマットレスのような大型家財品は、そのままの状態では大手の運送事業者の設定した有効寸法に合致しないことから、大型家財品の運送及び搬入を依頼する運送事業者の選択が制限されることが懸念される。
【０００９】
本考案は、上記課題に鑑みてなされたものであり、その目的は、コンパクトに収容可能で、運送及び搬入作業が容易な体圧分散構造体及びマットレスを提供することにある。
【課題を解決するための手段】
【００１０】
上記課題を解決するための請求項１に記載の考案による体圧分散構造体は、弾発性を有するクッション部、該クッション部の上に積層される支持部、該支持部及び前記クッション部を被覆するカバー部を備えた体圧分散構造体において、前記クッション部は、該クッション部の長尺方向に配列される複数のクッション部構成体を備え、該複数のクッション部構成体は、前記クッション部が弾発する方向に圧縮されて収容体に収容されることを特徴とする。
【００１１】
この構成によれば、体圧分散構造体は、クッション部が複数のクッション部構成体によって構成されており、各クッション部構成体がそれぞれ、クッション部の弾発する方向において圧縮されて収容体に収容される。従って、体圧分散構造体をコンパクトに収容することが可能となり、体圧分散構造体の運送及び搬入等の作業を容易に行うことができ、かつ作業コストが削減される。
【００１２】
請求項２に記載の考案による体圧分散構造体は、請求項１に記載の体圧分散構造体において、前記複数のクッション部構成体は、単一の収容体に収容されることを特徴とする。
【００１３】
この構成によれば、複数のクッション部構成体がそれぞれ、クッション部の弾発する方向において圧縮された状態で、単一の収容体に収容されることから、体圧分散構造体の運送及び搬入等の作業がより効率的に実行される。
【００１４】
請求項３に記載の考案による体圧分散構造体は、請求項１または２に記載の体圧分散構造体において、前記複数のクッション部構成体は、前記クッション部の長尺方向と交差する短尺方向の一端縁及び他端縁をそれぞれ有し、該一端縁及び他端縁が前記クッション部の短尺方向に配列される第１構成体と、該第１構成体の一端縁側に配列される第２構成体と、前記第１構成体の他端縁側に配列される第３構成体と、を備えることを特徴とする。
【００１５】
この構成によれば、クッション部は、第１構成体、第２構成体及び第３構成体によって構成されることから、収容体に収容するに際して、簡易かつ容易に収容することができる。
【００１６】
上記課題を解決するための請求項３に記載の考案によるマットレスは、請求項１〜３に記載の体圧分散構造体を用いて形成されたことを特徴とする。この構成によれば、体圧分散構造体は、大型家財品であるマットレスに用いることができる。従って、マットレスをコンパクトに収容することが可能となり、マットレスの運送及び搬入等の作業を容易に行うことができ、かつ作業コストが削減される。
【考案の効果】
【００１７】
この考案によると、クッション部が、運送事業者が予め設定した有効寸法に合致した収容体に収容できるように複数のクッション部構成体によって構成されている。従って、体圧分散構造体をコンパクトに収容することが可能となり、体圧分散構造体の運送及び搬入等の作業を容易に行うことができ、かつ作業コストが削減される。
【図面の簡単な説明】
【００１８】
【図１】本実施の形態に係る体圧分散構造体を用いたマットレスの概略を示す分解説明図である。
【図２】同じく、本実施の形態に係るマットレスの概略を説明する図である。
【図３】図２のＩＩＩ-ＩＩＩ線断面図である。
【図４】本実施の形態に係るクッション部の概略を説明する概念図である。
【図５】他の実施の形態に係るクッション部の概略を説明する概念図である。
【図６】本実施の形態に係るマットレスを圧縮して収容箱にクッション部を収容する概略を説明する図である。
【考案を実施するための形態】
【００１９】
次に、図１〜図６を参照して本考案の実施の形態について説明する。なお、本考案の一実施の形態として、体圧分散構造体が、いわゆるセミダブルベッド用のマットレスとして構成された場合を例として説明する。
【００２０】
図１は、本実施の形態に係る体圧分散構造体を用いたマットレスの概略を示す分解説明図、図２は、マットレスの概略を説明する図である。図示のように、マットレス１０は、弾発性を有するクッション部２０、クッション部２０の上に積層される支持部３０、支持部３０及びクッション部２０を被覆するカバー部４０を主要構成として備える。
【００２１】
クッション部２０は、クッション部２０の長尺方向Ｘに配列される複数のクッション部構成体によって形成されている。この各クッション部構成体は、本実施の形態では、第１構成体２０−１、第２構成体２０−２及び第３構成体位２０−３によって形成されている。
【００２２】
なお、第１構成体２０−１、第２構成体２０−２及び第３構成体位２０−３はそれぞれ同様の構成を有することから、必要がある場合を除き、第１構成体２０−１と同様の構成要素には同一の符号を付して、第２構成体２０−２及び第３構成体２０−３の説明を省略する。
【００２３】
第１構成体２０−１は、クッション部２０の長尺方向Ｘの両側縁２０ａ、２０ａ、及び長尺方向Ｘと交差する短尺方向Ｙの一端縁２０ｂ及び他端縁２０ｃを有するとともに、上面２０ｄ及び上面２０ｄと対向する下面２０ｅを有して平面視略矩形に形成される。
【００２４】
この第１構成体２０−１の一端縁２０ｂ及び他端縁２０ｃがクッション部２０の短尺方向Ｙに配列され、第１構成体２０−１の一端縁２０ｂ側に第２構成体２０−１が配列され、第１構成体２０−１の他端縁２０ｃ側に第３構成体２０−３が配列されて、クッション部２０が構成される。
【００２５】
支持部３０は、クッション部２０の上に積層されてクッション部２０の上面を構成する第１構成体２０−１〜第３構成体２０−３の各上面２０ｄを遮蔽するシート状であって、本実施の形態では、ウレタンフォームで柔軟性を有して形成される。
【００２６】
カバー部４０は、クッション部２０の長尺方向Ｘの両側縁４０ａ、４０ａ、及び長尺方向Ｘと交差する短尺方向Ｙの一端縁４０ｂ及び他端縁４０ｃを有するとともに、上面４０ｄ及び上面４０ｄと対向する下面４０ｅを有する中空袋状に形成される。
【００２７】
このカバー部４０の両側縁４０ａ、４０ａのうちの一方の側縁４０ａには開口部４１が形成され、この開口部４１を介して中空袋状に形成されたカバー部４０内に、クッション部２０を構成する第１構成体２０−１〜第３構成体２０−３が収容される。
【００２８】
カバー部４０に収容された第１構成体２０−１〜第３構成体２０−３の上面に、支持部３０が積層されてカバー部４０内に収容される。この状態で、カバー部４０の開口部４１に設けられたファスナ等によって開口部４１が封止され、マットレス１０が形成される。
【００２９】
次に、クッション部２０の具体的構成について、図３及び図４を用いて説明する。図３は、図２のＩＩＩ-ＩＩＩ線断面図、図４は、クッション部２０の概略を説明する概念図である。
【００３０】
図３で示すように、クッション部２０を構成する第１構成体２０−１は、本実施の形態では、複数のポケットコイル２１によって弾発性を有するように構成されている。
【００３１】
具体的には、ポケットコイル２１はそれぞれ、本実施の形態では、不織布等の柔軟性を有する素材で形成されたコイル収容袋２２に収容される。このコイル収容袋２２は、ポケットコイル２１を圧縮することによりポケットコイル２１に付勢力が作用する方向が第１構成体２０−１の弾発方向Ｚとなるように、布帛で形成されたコイル収容袋収容カバー２３に収容される。これにより、第１構成体２０−１が形成される。
【００３２】
なお、第２構成体２０−２及び第３構成体２０−３も第１構成体２０−１と同様の構成を有することから、その詳細な説明を省略する。
【００３３】
上記構成を有する第１構成体２０−１〜第３構成体２０−３は、本実施の形態では、第１構成体２０−１〜第３構成体２０−３の各上面２０ｄが複数の領域に区分されて、区分された領域ごとに複数の異なる付勢力を有するポケットコイル２１が配置されている。
【００３４】
図４で示すように、第１構成体２０−１は、上面２０ｄの略中央部分が平面視矩形の領域２０Ａ、この領域２０Ａを囲繞する領域２０Ｂに区分されている。第２構成体２０−２は、上面２０ｄの略中央部分が平面視矩形の領域２０Ｃ、領域２０Ｃにおけるクッション部２０の長尺方向Ｘの両側部である領域２０Ｄ、２０Ｄ、及び領域２０Ｄ、２０Ｄにおけるクッション部２０の長尺方向Ｘと交差する短尺方向Ｙの端部である領域２０Ｅ、２０Ｅに区分されている。
【００３５】
一方、第３構成体２０−３は、上面２０ｄの略中央部分が平面視矩形の領域２０Ｆ、領域２０Ｆにおけるクッション部２０の長尺方向Ｘの両側部である領域２０Ｇ、２０Ｇ、及び領域２０Ｇ、２０Ｇにおけるクッション部２０の長尺方向Ｘと交差する短尺方向Ｙの端部である領域２０Ｈ、２０Ｈに区分されている。
【００３６】
このように、第１構成体２０−１〜第３構成体２０−３の各上面２０ｄにおいて区分された領域２０Ａ〜２０Ｈに、複数の異なる付勢力を有するポケットコイル２１が配置される。
【００３７】
本実施の形態では、ポケットコイル２１は、「１．０：柔らかめ」、「１．１：標準」、「１．２：やや硬め」及び「１．３：硬め」の異なる４段階の付勢力を有するものが用いられている。
【００３８】
第１構成体２０−１の領域２０Ａには「１．２：やや硬め」、領域２０Ｂには「１．３：硬め」のポケットコイル２１が配置される。
【００３９】
第２構成体２０−２の領域２０Ｃには「１．１：標準」、領域２０Ｄ、２０Ｄには「１．３：硬め」、及び領域２０Ｅ、２０Ｅには「１．２：やや硬め」のポケットコイル２１が配置される。
【００４０】
第３構成体２０−３の領域２０Ｆには「１．０：柔らかめ」、領域２０Ｇ、２０Ｇには「１．２：やや硬め」、及び領域２０Ｈ、２０Ｈには「１．１：標準」のポケットコイル２１が配置される。
【００４１】
一方、他の形態としては、図５で示すように、第１構成体２０−１は、上面２０ｄの略中央部分が平面視矩形の領域２０Ｉ、領域２０Ｉにおけるクッション部２０の長尺方向Ｘの両側部である領域２０Ｊ、２０Ｊに区分されている。
【００４２】
第２構成体２０−２は、第２構成体２０−２の他端縁２０ｃから略中央領域に亘る平面視略矩形の領域２０Ｋ、及び領域２０Ｋを囲繞する平面視コ字状の領域２０Ｌに区分されている。
【００４３】
第３構成体２０−３は、第３構成体２０−３の一端縁２０ｂから略中央領域に亘る平面視略矩形の領域２０Ｍ、及び領域２０Ｍを囲繞する平面視逆コ字状の領域２０Ｎに区分されている。
【００４４】
このように、第１構成体２０−１〜第３構成体２０−３の各上面２０ｄにおいて区分された領域２０Ｉ〜２０Ｎに、複数の異なる付勢力を有するポケットコイル２１が配置される。
【００４５】
本形態では、ポケットコイル２１は、「１．０：柔らかめ」、「１．１：標準」、及び「１．２：硬め」の異なる３段階の付勢力を有するものが用いられている。
【００４６】
第１構成体２０−１の領域２０Ｉには「１．１：標準」、領域２０Ｊには「１．２：硬め」のポケットコイル２１が配置される。
【００４７】
第２構成体２０−２の領域２０Ｋには「１．０：柔らかめ」、領域２０Ｌには「１．２：硬め」のポケットコイル２１が配置される。一方、第３構成体２０−３の領域２０Ｍには「１．０：柔らかめ」、領域２０Ｎには「１．２：硬め」のポケットコイル２１が配置される。
【００４８】
このように、複数に区分された領域ごとに複数の異なる付勢力を有するポケットコイル２１が配置されることによって、第１構成体２０−１〜第３構成体２０−３をカバー部４０に収容するに際して、マットレス１０のユーザが所望の寝心地を得られるように、第１構成体２０−１〜第３構成体２０−３を組み替えて配置してカバー部４０に収容することができる。
【００４９】
次に、本実施の形態に係るマットレス１０を運送及び搬入する際の収容方法について説明する。
【００５０】
なお、本実施の形態では、運送事業者によって設定されている物品の個口当たりの有効寸法が、縦（長尺方向Ｘ）×横（短尺方向Ｙ）×高さ（弾発方向Ｚ）の三辺の合計で２６００ｍｍ以内であり、物品の個口当たりの有効重量が５０ｋｇ以内である場合を例として説明する。
【００５１】
一般的に、ベッド用のマットレスの寸法は、概ね、シングルサイズで縦（長尺方向Ｘ）×横（短尺方向Ｙ）×高さ（弾発方向Ｚ）：９７０×１９５０×２４０（ｍｍ）、セミダブルサイズで縦（長尺方向Ｘ）×横（短尺方向Ｙ）×高さ（弾発方向Ｚ）：１２００×１９５０×２４０（ｍｍ）、ダブルサイズで縦（長尺方向Ｘ）×横（短尺方向Ｙ）×高さ（弾発方向Ｚ）：１４００×１９５０×２４０（ｍｍ）に設定されている。
【００５２】
本実施の形態に係るマットレス１０は、シングルサイズ、セミダブルサイズあるいはダブルサイズのいずれのサイズのマットレスであっても、クッション部２０を構成する第1構成体２０−１〜第３構成体２０−３をそれぞれ圧縮して収容体に積み重ねて収容することができる。
【００５３】
すなわち、図６で示すように、第1構成体２０−１〜第３構成体２０−３は、縦（長尺方向Ｘ）×横（短尺方向Ｙ）×高さ（弾発方向Ｚ）の三辺の合計が２６００ｍｍ以内に設定された収容体である収容箱５０内に収容される。
【００５４】
具体的には、第1構成体２０−１〜第３構成体２０−３がそれぞれ弾発方向Ｚにおいて圧縮されて圧縮袋５１に封入される。この状態で、第1構成体２０−１〜第３構成体２０−３は、本実施の形態では、収容箱５０内において、第１構成体２０−１、第２構成体２０−２、第３構成体２０−３の順に積み重ねられて、単一の、すなわち１個口の収容箱５０内に収容される。
【００５５】
支持部３０及びカバー部４０も同様に、支持部３０及びカバー部４０用の圧縮袋に封入されて、収容箱５０とは別の個口の収容箱に収容される。すなわち、本実施の形態では、マットレス１０は、２個口で運送及び搬入がなされる。
【００５６】
このように、マットレス１０は、クッション部２０が第１構成体２０−１、第２構成体２０−２及び第３構成体２０−３によって構成されており、これら第１構成体２０−１、第２構成体２０−２及び第３構成体２０−３がそれぞれ、クッション部２０の弾発方向Ｘにおいて圧縮されて１個口の収容箱５０内に収容される。
【００５７】
従って、マットレス１０をコンパクトに収容することが可能となり、マットレス１０の運送及び搬入等の作業を容易に行うことができ、かつ作業コストが削減される。
【００５８】
特に、本実施の形態では、収容箱５０の縦（長尺方向Ｘ）×横（短尺方向Ｙ）×高さ（弾発方向Ｚ）の三辺の合計が２６００ｍｍ以内に設定されており、この収容箱５０内に、第1構成体２０−１〜第３構成体２０−３が弾発方向Ｚにおいて圧縮されて収容される。
【００５９】
従って、いずれのサイズのマットレスであっても、運送事業者によって設定されている物品の個口当たりの有効寸法に制限されることがない。その結果、大型家財品であるマットレス１０の運送及び搬入を依頼する運送事業者の選択が制限されることがない。
【００６０】
しかも、第１構成体２０−１〜第３構成体２０−３の各上面２０ｄが複数の領域に区分されており、区分された領域ごとに複数の異なる付勢力を有するポケットコイル２１を配置することが可能であることから、ユーザが所望の寝心地を得られるようにポケットコイル２１を配置することができる。
【００６１】
従って、ユーザの要望に応じてポケットコイル２１を適宜配置する、いわゆる受注生産（オーダーメイド）を行うことも可能である。
【００６２】
なお、予め設定された領域に予め設定された付勢力を有するポケットコイル２１が配置された第１構成体２０−１〜第３構成体２０−３であっても、マットレス１０のユーザが所望の寝心地を得られるように、第１構成体２０−１〜第３構成体２０−３を組み替えて配置してカバー部４０に収容することによって、要望の寝心地を得ることができる。
【００６３】
なお、本考案は上記実施の形態に限定されることはなく、考案の趣旨を逸脱しない範囲で種々変更可能である。上記実施の形態では、体圧分散構造体がマットレス１０に用いられた場合を説明したが、例えば、ソファのソファクッションであってもよい。
【００６４】
上記実施の形態では、支持部３０とカバー部４０とが別部材で形成されている場合を説明したが、例えば、カバー部４０の上面４０ｄの裏面に支持部３０を縫合して支持部３０とカバー部４０とを一体として形成してもよい。
【００６５】
第１構成体２０−１〜第３構成体２０−３の各上面２０ｄの区分、及び区分された領域に配置される複数の付勢力を有するポケットコイル２１の配置は、上記実施の形態及び上記他の形態に関わらず、適宜変更可能である。
【００６６】
上記実施の形態では、クッション部２０がポケットコイル２１によって弾発することを説明したが、ポケットコイル２１に限定されずに、例えばボンネルコイル、ウレタンコイル、フリーエンドコイル等の弾発性を有するコイルを用いることができる。
【００６７】
上記実施の形態では、第１構成体２０−１〜第３構成体２０−３が１個口の収容箱５０内に収容される場合を説明したが、例えば、第１構成体２０−１〜第３構成体２０−３をそれぞれ１個口の収容箱に収容してもよいし、あるいは第１構成体２０−１〜第３構成体２０−３のうちいずれか２つを単一の収容箱に収容するとともに残りの１つを別個口の収容箱に収容してもよい。
【符号の説明】
【００６８】
１０    マットレス（体圧分散構造体）
２０    クッション部
２０−１    第１構成体（クッション部構成体）
２０−２    第２構成体（クッション部構成体）
２０−３    第３構成体（クッション部構成体）
２０ｂ    一端縁
２０ｃ    他端縁
２０ｄ    上面
２１    ポケットコイル
３０    支持部
４０    カバー部
５０    収容箱（収容体）
Ｘ    長尺方向
Ｙ    短尺方向
Ｚ    弾発方向
【図１】
0003184215.tif 000003
【図２】
0003184215.tif 000004
【図３】
0003184215.tif 000005
【図４】
0003184215.tif 000006
【図５】
0003184215.tif 000007
【図６】
0003184215.tif 000008
【手続補正書】
【提出日】平成25年4月4日(2013.4.4)
【手続補正１】
【補正対象書類名】実用新案登録請求の範囲
【補正対象項目名】全文
【補正方法】変更
【補正の内容】
【実用新案登録請求の範囲】
【請求項１】
弾発性を有するクッション部、該クッション部の上に積層される支持部、該支持部及び前記クッション部を被覆するカバー部を備えた体圧分散構造体において、
前記クッション部は、
該クッション部の長尺方向に配列される複数のクッション部構成体を備え、
該複数のクッション部構成体は、
前記クッション部が弾発する方向に圧縮されて収容体に収容されることを特徴とする体圧分散構造体。
【請求項２】
前記複数のクッション部構成体は、
単一の収容体に収容されることを特徴とする請求項１に記載の体圧分散構造体。
【請求項３】
前記複数のクッション部構成体は、
前記クッション部の長尺方向と交差する短尺方向の一端縁及び他端縁をそれぞれ有し、
該一端縁及び他端縁が前記クッション部の短尺方向に配列される第１構成体と、
該第１構成体の一端縁側に配列される第２構成体と、
前記第１構成体の他端縁側に配列される第３構成体と、
を備えることを特徴とする請求項１または２に記載の体圧分散構造。
【請求項４】
請求項１〜３のいずれか１項に記載の体圧分散構造体を用いて形成されたことを特徴とするマットレス。
【手続補正２】
【補正対象書類名】明細書
【補正対象項目名】００１６
【補正方法】変更
【補正の内容】
【００１６】
上記課題を解決するための請求項４に記載の考案によるマットレスは、請求項１〜３のいずれか１項に記載の体圧分散構造体を用いて形成されたことを特徴とする。この構成によれば、体圧分散構造体は、大型家財品であるマットレスに用いることができる。従って、マットレスをコンパクトに収容することが可能となり、マットレスの運送及び搬入等の作業を容易に行うことができ、かつ作業コストが削減される。